(57)【要約】  本発明は、アプリケーションフォーマットＡＦ（Ａｐｐｌｉｃａｔｉｏｎ  Ｆｏｒｍａｔ）の生成方法及びその装置に関し、より詳細には、デジタルマルチメディア放送ＤＭＢ（Ｄｉｇｉｔａｌ  Ｍｕｌｔｉｍｅｄｉａ  Ｂｒｏａｄｃａｓｔｉｎｇ）アプリケーションフォーマットの生成方法及びその装置に関する。本発明に係るデジタルマルチメディア放送アプリケーションフォーマットの生成方法が、デジタルマルチメディア放送コンテンツに関するメタデータを生成するステップと、メタデータとデジタルマルチメディア放送コンテンツとを結合するステップとを含み、メタデータが、メタデータに関する著作情報と、デジタルマルチメディア放送コンテンツを消費するユーザに関するユーザ情報と、デジタルマルチメディア放送コンテンツと関連したパッケージを記述するパッケージテーブル情報とを含む。
2010525631.tif 000002
【特許請求の範囲】
【請求項１】
デジタルマルチメディア放送ＤＭＢ（Ｄｉｇｉｔａｌ  Ｍｕｌｔｉｍｅｄｉａ  Ｂｒｏａｄｃａｓｔｉｎｇ）コンテンツに関するメタデータを生成するステップと、
前記メタデータと、前記デジタルマルチメディア放送コンテンツとを結合するステップと、
を含み、
前記メタデータが、
該メタデータに関する著作情報と、
前記デジタルマルチメディア放送コンテンツを消費するユーザに関するユーザ情報と、
前記デジタルマルチメディア放送コンテンツと関連したパッケージを記述するパッケージテーブル情報と、
を含むことを特徴とするデジタルマルチメディア放送アプリケーションフォーマットＡＦ（Ａｐｐｌｉｃａｔｉｏｎ  Ｆｏｒｍａｔ）の生成方法。
【請求項２】
前記ユーザ情報が、
前記デジタルマルチメディア放送コンテンツに対するユーザの嗜好度を記述するために、前記ユーザに関する識別情報及び嗜好度情報を有するユーザ嗜好度情報と、
前記ユーザに関する識別情報と、前記デジタルマルチメディア放送コンテンツに関する前記ユーザの行動履歴情報とを有する使用履歴情報と、
を含むことを特徴とする請求項１に記載のデジタルマルチメディア放送アプリケーションフォーマットの生成方法。
【請求項３】
前記パッケージテーブル情報が、コンテンツタイプ情報を含み、
該コンテンツタイプ情報が、スライドショー、放送ウェブサイトＢＷＳ、交通旅行情報ＴＴＩ、双方向データ放送ＢＩＦＳ、ジャバミドレット、及びタイムドテキストを含む分類スキームを有することを特徴とする請求項１に記載のデジタルマルチメディア放送アプリケーションフォーマットの生成方法。
【請求項４】
前記パッケージテーブル情報が、セグメントに関するセグメント情報テーブル情報を含み、
該セグメント情報テーブル情報が、
関連性のある前記セグメントの集合であるセグメントグループを記述するセグメントグループリスト情報と、前記セグメントのリストを記述するセグメントリスト情報とを含むことを特徴とする請求項１に記載のデジタルマルチメディア放送アプリケーションフォーマットの生成方法。
【請求項５】
デジタルマルチメディア放送ＤＭＢ（Ｄｉｇｉｔａｌ  Ｍｕｌｔｉｍｅｄｉａ  Ｂｒｏａｄｃａｓｔｉｎｇ）コンテンツに関するメタデータを生成するメタデータ生成部と、
前記メタデータと、前記デジタルマルチメディア放送コンテンツとを結合する結合部と、
を備え、
前記メタデータが、
該メタデータに関する著作情報と、
前記デジタルマルチメディア放送コンテンツを消費するユーザに関するユーザ情報と、
前記デジタルマルチメディア放送コンテンツと関連したアイテムを記述するパッケージテーブル情報と、
を含むことを特徴とするデジタルマルチメディア放送アプリケーションフォーマットＡＦ（Ａｐｐｌｉｃａｔｉｏｎ  Ｆｏｒｍａｔ）の生成装置。
【請求項６】
前記ユーザ情報が、
前記デジタルマルチメディア放送コンテンツに対するユーザの嗜好度を記述するために、前記ユーザに関する識別情報及び嗜好度情報を有するユーザ嗜好度情報と、
前記ユーザに関する識別情報と、前記デジタルマルチメディア放送コンテンツに関する前記ユーザの行動履歴情報とを有する使用履歴情報と、
を含むことを特徴とする請求項５に記載のデジタルマルチメディア放送アプリケーションフォーマットの生成装置。
【請求項７】
前記パッケージテーブル情報が、コンテンツタイプ情報を含み、
該コンテンツタイプ情報が、スライドショー、放送ウェブサイトＢＷＳ、交通旅行情報ＴＴＩ、双方向データ放送ＢＩＦＳ、ジャバミドレット、及びタイムドテキストを含む分類スキームを有することを特徴とする請求項５に記載のデジタルマルチメディア放送アプリケーションフォーマットの生成装置。
【請求項８】
前記パッケージテーブル情報が、セグメントに関するセグメント情報テーブル情報を含み、
該セグメント情報テーブル情報が、
関連性のある前記セグメントの集合であるセグメントグループを記述するセグメントグループリスト情報と、前記セグメントのリストを記述するセグメントリスト情報とを含むことを特徴とする請求項５に記載のデジタルマルチメディア放送アプリケーションフォーマットの生成装置。
【請求項９】
デジタルマルチメディア放送ＤＭＢ（Ｄｉｇｉｔａｌ  Ｍｕｌｔｉｍｅｄｉａ  Ｂｒｏａｄｃａｓｔｉｎｇ）コンテンツと、前記デジタルマルチメディア放送コンテンツに関するメタデータを備えるデジタルマルチメディア放送アプリケーションフォーマットＡＦ（Ａｐｐｌｉｃａｔｉｏｎ  Ｆｏｒｍａｔ）とを受信するステップと、
前記デジタルマルチメディア放送アプリケーションフォーマットを利用して、前記デジタルマルチメディア放送コンテンツを消費するステップと、
を含み、
前記メタデータが、
該メタデータに関する著作情報と、
前記デジタルマルチメディア放送コンテンツを消費するユーザに関するユーザ情報と、
前記デジタルマルチメディア放送コンテンツと関連したアイテムを記述するパッケージテーブル情報と、
を含むことを特徴とするデジタルマルチメディア放送アプリケーションフォーマットの消費方法。
【請求項１０】
前記ユーザ情報が、
前記デジタルマルチメディア放送コンテンツに対するユーザの嗜好度を記述するために、前記ユーザに関する識別情報及び嗜好度情報を有するユーザ嗜好度情報と、
前記ユーザに関する識別情報と、前記デジタルマルチメディア放送コンテンツに関する前記ユーザの行動履歴情報とを有する使用履歴情報と、
を含むことを特徴とする請求項９に記載のデジタルマルチメディア放送アプリケーションフォーマットの消費方法。
【請求項１１】
前記パッケージテーブル情報が、コンテンツタイプ情報を含み、
該コンテンツタイプ情報が、スライドショー、放送ウェブサイトＢＷＳ、交通旅行情報ＴＴＩ、双方向データ放送ＢＩＦＳ、ジャバミドレット、及びタイムドテキストを含む分類スキームを有することを特徴とする請求項９に記載のデジタルマルチメディア放送アプリケーションフォーマットの消費方法。
【請求項１２】
前記パッケージテーブル情報が、セグメントに関するセグメント情報テーブル情報を含み、
該セグメント情報テーブル情報が、
関連性のある前記セグメントの集合であるセグメントグループを記述するセグメントグループリスト情報と、前記セグメントのリストを記述するセグメントリスト情報とを含むことを特徴とする請求項９に記載のデジタルマルチメディア放送アプリケーションフォーマットの消費方法。
【請求項１３】
デジタルマルチメディア放送ＤＭＢ（Ｄｉｇｉｔａｌ  Ｍｕｌｔｉｍｅｄｉａ  Ｂｒｏａｄｃａｓｔｉｎｇ）コンテンツと、前記デジタルマルチメディア放送コンテンツに関するメタデータを備えるデジタルマルチメディア放送アプリケーションフォーマットＡＦ（Ａｐｐｌｉｃａｔｉｏｎ  Ｆｏｒｍａｔ）とを受信する受信部と、
前記デジタルマルチメディア放送アプリケーションフォーマットを利用して、前記デジタルマルチメディア放送コンテンツを消費する消費部と、
を備え、
前記メタデータが、
該メタデータに関する著作情報と、
前記デジタルマルチメディア放送コンテンツを消費するユーザに関するユーザ情報と、
前記デジタルマルチメディア放送コンテンツと関連したアイテムを記述するパッケージテーブル情報と、
を含むことを特徴とするデジタルマルチメディア放送アプリケーションフォーマットの消費装置。
【請求項１４】
前記ユーザ情報が、
前記デジタルマルチメディア放送コンテンツに対するユーザの嗜好度を記述するために、前記ユーザに関する識別情報及び嗜好度情報を有するユーザ嗜好度情報と、
前記ユーザに関する識別情報と、前記デジタルマルチメディア放送コンテンツに関する前記ユーザの行動履歴情報とを有する使用履歴情報と、
を含むことを特徴とする請求項１３に記載のデジタルマルチメディア放送アプリケーションフォーマットの消費装置。
【請求項１５】
前記パッケージテーブル情報が、コンテンツタイプ情報を含み、
該コンテンツタイプ情報が、スライドショー、放送ウェブサイトＢＷＳ、交通旅行情報ＴＴＩ、双方向データ放送ＢＩＦＳ、ジャバミドレット、及びタイムドテキストを含む分類スキームを有することを特徴とする請求項１３に記載のデジタルマルチメディア放送アプリケーションフォーマットの消費装置。
【請求項１６】
前記パッケージテーブル情報が、セグメントに関するセグメント情報テーブル情報を含み、
該セグメント情報テーブル情報が、
関連性のある前記セグメントの集合であるセグメントグループを記述するセグメントグループリスト情報と、前記セグメントのリストを記述するセグメントリスト情報とを含むことを特徴とする請求項１３に記載のデジタルマルチメディア放送アプリケーションフォーマットの消費装置。
【請求項１７】
デジタルマルチメディア放送 ＤＭＢ（Ｄｉｇｉｔａｌ  Ｍｕｌｔｉｍｅｄｉａ  Ｂｒｏａｄｃａｓｔｉｎｇ）コンテンツに関するメタデータが記録されたコンピュータ読み取り可能な記録媒体であって、
前記メタデータが、
該メタデータに関する著作情報と、
前記デジタルマルチメディア放送コンテンツを消費するユーザに関するユーザ情報と、
前記デジタルマルチメディア放送コンテンツと関連したアイテムを記述するパッケージテーブル情報と、
を含むことを特徴とするコンピュータ読み取り可能な記録媒体。
【請求項１８】
前記ユーザ情報が、
前記デジタルマルチメディア放送コンテンツに対するユーザの嗜好度を記述するために、前記ユーザに関する識別情報及び嗜好度情報を有するユーザ嗜好度情報と、
前記ユーザに関する識別情報と、前記デジタルマルチメディア放送コンテンツに関する前記ユーザの行動履歴情報とを有する使用履歴情報と、
を含むことを特徴とする請求項１７に記載のコンピュータ読み取り可能な記録媒体。
【請求項１９】
前記パッケージテーブル情報が、コンテンツタイプ情報を含み、
該コンテンツタイプ情報が、スライドショー、放送ウェブサイトＢＷＳ、交通旅行情報ＴＴＩ、双方向データ放送ＢＩＦＳ、ジャバミドレット、及びタイムドテキストを含む分類スキームを有することを特徴とする請求項１７に記載のコンピュータ読み取り可能な記録媒体。
【請求項２０】
前記パッケージテーブル情報が、セグメントに関するセグメント情報テーブル情報を含み、
該セグメント情報テーブル情報が、
関連性のある前記セグメントの集合であるセグメントグループを記述するセグメントグループリスト情報と、前記セグメントのリストを記述するセグメントリスト情報とを含むことを特徴とする請求項１７に記載のコンピュータ読み取り可能な記録媒体。
【発明の詳細な説明】
【技術分野】
【０００１】
本発明は、アプリケーションフォーマットＡＰ（Ａｐｐｌｉｃａｔｉｏｎ  Ｆｏｒｍａｔ）の生成方法及びその装置に関し、より詳細には、デジタルマルチメディア放送ＤＭＢ（Ｄｉｇｉｔａｌ  Ｍｕｌｔｉｍｅｄｉａ  Ｂｒｏａｄｃａｓｔｉｎｇ）アプリケーションフォーマットの生成方法及びその装置に関する。
【０００２】
本発明は、大韓民国の情報通信部及び情報通信研究振興院の情報通信標準開発支援の一環として行った研究から導き出されたものである。[課題管理番号：２００７−Ｐ１０−０５、課題名：ＤＭＢメタデータ標準開発（Ｔｈｅ  Ｄｅｖｅｌｏｐｍｅｎｔ  ｏｆ  ｍｅｔａｄａｔａ  ｓｔａｎｄａｒｄ  ｆｏｒ  ＤＭＢ）]
【背景技術】
【０００３】
デジタルマルチメディア放送ＤＭＢ（Ｄｉｇｉｔａｌ  Ｍｕｌｔｉｍｅｄｉａ  Ｂｒｏａｄｃａｓｔｉｎｇ）は、音声・画像などをデジタル方式に変調して固定するか、または携帯用端末器に提供する放送サービスを意味する。デジタルマルチメディア放送は、デジタル方式のマルチメディア放送であって、高い水準の音質とデータまたは画像サービスが可能であり、かつ、優れた固定及び移動受信の品質を提供しており、伝送方式に応じて地上波（ｔｅｒｒｅｓｔｒｉａｌ）デジタルマルチメディア放送と衛星波（Ｓａｔｅｌｌｉｔｅ）デジタルマルチメディア放送とに区分する。
【０００４】
デジタルマルチメディア放送のコンテンツを提供するときには、コンテンツの構成情報及び詳細情報が提供されなければ、コンテンツの適切な消費がなされ得ない。したがって、デジタルマルチメディア放送のコンテンツを格納して識別し、これらの特性を記述するための方法が求められる。また、デジタルマルチメディア放送のコンテンツとともに提供される付加コンテンツを記述する方法が求められる。
【発明の概要】
【発明が解決しようとする課題】
【０００５】
したがって、本発明の目的は、デジタルマルチメディア放送コンテンツの構成情報と詳細情報を提供し、デジタルマルチメディア放送のコンテンツを格納して識別し、これらの特性を記述する方法を提供することにある。
【０００６】
本発明の他の目的及び長所は、下記の説明によって理解することができ、本発明の実施形態によってさらに明白に分かるであろう。また、本発明の目的及び長所は、特許請求の範囲に表わした手段及びその組み合わせによって実現され得ることが容易に分かるであろう。
【課題を解決するための手段】
【０００７】
上記の目的を達成するための本発明の一実施形態に係るデジタルマルチメディア放送ＤＭＢ（Ｄｉｇｉｔａｌ  Ｍｕｌｔｉｍｅｄｉａ  Ｂｒｏａｄｃａｓｔｉｎｇ）アプリケーションフォーマットＡＦ（Ａｐｐｌｉｃａｔｉｏｎ  Ｆｏｒｍａｔ）の生成方法が、デジタルマルチメディア放送コンテンツに関するメタデータを生成するステップと、メタデータと前記デジタルマルチメディア放送コンテンツとを結合するステップとを含み、メタデータが、メタデータに関する著作情報、デジタルマルチメディア放送コンテンツを消費するユーザに関するユーザ情報、及びデジタルマルチメディア放送コンテンツと関連したパッケージを記述するパッケージテーブル情報を含む。
【０００８】
本発明の他の実施形態に係るデジタルマルチメディア放送アプリケーションフォーマットの生成装置が、デジタルマルチメディア放送コンテンツに関するメタデータを生成するメタデータ生成部及びメタデータとデジタルマルチメディア放送コンテンツとを結合する結合部を備え、メタデータが、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【０００９】
本発明のさらに他の実施形態に係るデジタルマルチメディア放送アプリケーションフォーマットの消費方法が、デジタルマルチメディア放送コンテンツと、デジタルマルチメディア放送コンテンツに関するメタデータとを備えるデジタルマルチメディア放送アプリケーションフォーマットを受信するステップと、デジタルマルチメディア放送アプリケーションフォーマットを用いてデジタルマルチメディア放送コンテンツを消費するステップとを含み、メタデータが、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００１０】
本発明のさらに他の実施形態に係るデジタルマルチメディア放送アプリケーションフォーマットの消費装置が、デジタルマルチメディア放送コンテンツと、デジタルマルチメディア放送コンテンツに関するメタデータとを備えるデジタルマルチメディア放送アプリケーションフォーマットを受信する受信部と、デジタルマルチメディア放送アプリケーションフォーマットを用いてデジタルマルチメディア放送コンテンツを消費する消費部とを備え、メタデータが、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００１１】
本発明のさらに他の実施形態に係るコンピュータ読み取り可能な記録媒体は、デジタルマルチメディア放送コンテンツに関するメタデータが記録されたコンピュータ読み取り可能な記録媒体であって、メタデータが、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００１２】
上述の目的、特徴及び長所は、添付した図面と関連した以下の詳細な説明によりさらに明確になるはずであり、それにより、本発明の属する技術分野における通常の知識を有した者が本発明の技術的思想を容易に実施できるはずである。また、本発明を説明するにおいて本発明と関連した公知技術に関する具体的な説明が本発明の要旨を不明にすると判断される場合には、その詳細な説明を省略する。以下、添付された図面を参照して、本発明に係る好ましい一実施形態を詳細に説明する。
【発明の効果】
【００１３】
本発明によれば、デジタルマルチメディア放送のコンテンツを格納、修正、または配布するときに、デジタルマルチメディア放送のコンテンツの構成情報と詳細情報を提供し、デジタルマルチメディア放送のコンテンツを識別し、これらの特性を記述する方法を提供することにより、デジタルマルチメディア放送のコンテンツの効率的な消費を図ることができる。
【図面の簡単な説明】
【００１４】
【図１】本発明に係るデジタルマルチメディア放送コンテンツに関するメタデータの構造を示した図である。
【発明を実施するための形態】
【００１５】
以下の内容は、単に本発明の原理を例示する。したがって、当業者は、たとえ本明細書に明確に説明されたり図示されたりしてはいないが、本発明の原理を実現し、本発明の概念と範囲に含まれた様々な装置を発明することができる。また、本明細書に列挙されたあらゆる条件付き用語及び実施形態は、原則的に本発明の概念が理解され得るようにするための目的としてのみ明確に意図され、このように、特別に列挙された実施形態及び状態に制約的でないものと理解されなければならない。
【００１６】
また、本発明の原理、観点、及び実施形態のみならず、特定の実施形態を列挙するあらゆる詳細な説明は、このような事項の構造的及び機能的均等物を含むように意図されるものと理解されなければならない。また、このような均等物は、現在公知された均等物のみならず、将来に開発される均等物、すなわち、構造と関係なく、同じ機能を行うように発明された全ての素子を含むものと理解されなければならない。
【００１７】
したがって、例えば、本明細書のブロック図は、本発明の原理を具体化する例示的な回路の概念的な観点を表わすものと理解されなければならない。これと同様に、全てのフローチャート、状態変換図、疑似コードなどは、コンピュータが読み取り可能な媒体に実質的に表わすことができ、コンピュータまたはプロセッサが明確に図示されたか否かにかかわらず、コンピュータまたはプロセッサによって行われる様々なプロセスを表わすものと理解されなければならない。
【００１８】
プロセッサまたはこれと類似した概念で表示された機能ブロックを含む図面に示された様々な素子の機能は、専用ハードウェアのみならず、適切なソフトウェアと関連してソフトウェアを実行する能力を有したハードウェアの使用として提供され得る。プロセッサによって提供されるとき、前記機能は、単一専用プロセッサ、単一共有プロセッサ、または複数の個別的プロセッサによって提供されることができ、これらのうち一部は共有され得る。
【００１９】
またプロセッサ、制御、またはこれと類似した概念で提示される用語の明確な使用は、ソフトウェアを実行する能力を有したハードウェアを排他的に引用して解析されてはならず、制限なくデジタル信号プロセッサ（ＤＳＰ）ハードウェア、ソフトウェアを格納するためのロム（ＲＯＭ）、ラム（ＲＡＭ）、及び不揮発性メモリを暗示的に含むものと理解されなければならない。周知慣用の他のハードウェアも含まれ得る。
【００２０】
本明細書の請求の範囲において、詳細な説明に記載された機能を行うための手段として表現された構成要素は、例えば、前記機能を行う回路素子の組み合わせまたはファームウエア・マイクロコードなどを含むあらゆる形式のソフトウェアを含む機能を行うあらゆる方法を含むものと意図され、前記機能を行うように、前記ソフトウェアを実行するための適切な回路と結合される。このような請求の範囲によって定義される本発明は、様々に列挙された手段によって提供される機能らが結合され、請求項が求める方式と結合されるため、前記機能を提供できるいかなる手段も本明細書から把握されることと均等なものとして理解されなければならない。
【００２１】
上述の目的、特徴及び長所は、添付した図面と関連した以下の詳細な説明によりさらに明確になるはずであり、それにより、本発明の属する技術分野における通常の知識を有した者が本発明の技術的思想を容易に実施できるはずである。また、本発明を説明するにおいて本発明と関連した公知技術に関する具体的な説明が本発明の要旨を不明にすると判断される場合には、その詳細な説明を省略する。以下、添付された図面を参照して、本発明に係る好ましい一実施形態を詳細に説明する。
【００２２】
本発明は、デジタルマルチメディア放送ＤＭＢ（Ｄｉｇｉｔａｌ  Ｍｕｌｔｉｍｅｄｉａ  Ｂｒｏａｄｃａｓｔｉｎｇ）のコンテンツに関するメタデータを構成し、構成されたメタデータをデジタルマルチメディア放送コンテンツとともにアプリケーションフォーマットＡＰ（Ａｐｐｌｉｃａｔｉｏｎ  Ｆｏｒｍａｔ）で構成することにより、デジタルマルチメディア放送コンテンツの格納、修正、または配布において識別性を提供し、デジタルマルチメディア放送コンテンツの構成情報と詳細情報などをコンテンツの消費者に提供して、より効率的なコンテンツの消費が可能となる。
【００２３】
また、ユーザは、デジタルマルチメディア放送コンテンツとともに、それと関連した様々なメディアに対する欲求がある。例えば、プログラムを視聴しながら、そのプログラムに登場したおいしい店情報またはプログラム関連のウェブページを知りたい場合がこれに該当するであろう。したがって、このような要求は、種々の種類のデジタルマルチメディア放送コンテンツが１つのファイル内にパッケージされて消費され得る方法を提供する。詳細には、パッケージされた全体コンテンツに関する上位水準の情報を記述することができなければならず、格納されたコンテンツの目録及び相互関係情報を記述することができなければならず、各コンテンツ別にコンテンツの種類及び詳細情報を確認することができなければならない。以下で、実施形態とともに詳しく説明する。
【００２４】
＜第１の実施形態：デジタルマルチメディア放送アプリケーションフォーマットの生成方法＞
本発明に係るデジタルマルチメディア放送アプリケーションフォーマットの生成方法は、デジタルマルチメディア放送コンテンツに関するメタデータを生成するステップ及びメタデータとデジタルマルチメディア放送コンテンツとを結合するステップを含み、メタデータは、メタデータに関する著作情報、デジタルマルチメディア放送コンテンツを消費するユーザに関するユーザ情報、及びデジタルマルチメディア放送コンテンツと関連したパッケージを記述するパッケージテーブル情報を含む。
【００２５】
メタデータは、デジタルマルチメディア放送コンテンツの構成情報と詳細情報などを記述する。このようなメタデータには、デジタルマルチメディア放送コンテンツ自体に関する情報のみならず、デジタルマルチメディア放送コンテンツを消費するユーザのユーザ特性及びデジタルマルチメディア放送コンテンツと関連したコンテンツに関する記述情報も含まれる。
【００２６】
ここで、パッケージは、デジタルマルチメディア放送コンテンツのようなメインコンテンツと組み合わせられて消費され得るコンテンツコンポーネント（ｃｏｍｐｏｎｅｎｔ）の集合を意味するものであって、パッケージには、コンポーネント、アイテム（ｉｔｅｍ）、または記述子（Ｄｅｓｃｒｉｐｔｏｒ）などが含まれ得る。このようなパッケージによってユーザはデジタルマルチメディア放送コンテンツを消費しつつ、より豊富な経験をすることができる。パッケージは、メインコンテンツと独立的なまたは従属的な関係でありうる。従属的な関係に対しては、例えば、パッケージは、デジタルマルチメディア放送コンテンツのシナリオの一部に含まれる場所に関する詳細情報または小品に関する広告情報のように、デジタルマルチメディア放送コンテンツのシナリオに従属するものである。
【００２７】
デジタルマルチメディア放送アプリケーションフォーマットは、デジタルマルチメディア放送コンテンツに関するメタデータとデジタルマルチメディア放送コンテンツとが含まれるように結合される。ここでの結合は、物理的な結合に限定しない。すなわち、デジタルマルチメディア放送アプリケーションフォーマットは、デジタルマルチメディア放送コンテンツと、これに関するメタデータに対するファイルとが１つのファイルで結合されて単位化されることができ、デジタルマルチメディア放送コンテンツと、これに関するメタデータとが１つのファイルで結合されなくとも、互いに参照される情報を含むことによって結合されることができる。
【００２８】
以下では、デジタルマルチメディア放送コンテンツに関するメタデータを詳細に説明する。
【００２９】
＜メタデータ＞
図１は、本発明に係るデジタルマルチメディア放送コンテンツに関するメタデータの構造を示した図である。
【００３０】
本発明に係るデジタルマルチメディア放送コンテンツに関するメタデータは、デジタルマルチメディア放送コンテンツに関する詳細な情報を提供するためのものである。デジタルマルチメディア放送コンテンツに関するメタデータは、メタデータに関する著作情報、デジタルマルチメディア放送コンテンツを消費するユーザに関するユーザ情報、及びデジタルマルチメディア放送コンテンツと関連したパッケージを記述するパッケージテーブル情報を含む。
【００３１】
メタデータには、前述した著作情報、ユーザ情報、及びパッケージテーブル情報を包括する最上位ノードが含まれ得る。最上位ノードは図１に示すように、「Ｍａｉｎ」で表示されることができ、メタデータのルート（ｒｏｏｔ）エレメントとしての役割を果たす。最上位ノードは、メタデータの使用言語に関する情報とバージョン（ｖｅｒｓｉｏｎ）情報とが含まれ得る。
【００３２】
メタデータには、分類スキームテーブル情報がさらに含まれ得る。分類スキームテーブル情報は、分類スキーム（ｃｌａｓｓｉｆｉｃａｔｉｏｎ  ｓｃｈｅｍｅ）に関する情報を記述するものであって、「ＣｌａｓｓｉｆｉｃａｔｉｏｎＳｃｈｅｍｅＴａｂｌｅ」で表現されることができる。分類スキームは、ユーザ端末内に予め格納され得る。また、デジタルマルチメディア放送アプリケーションフォーマットを支援するユーザ端末がデジタルマルチメディア放送アプリケーションフォーマットファイルを介して伝達されることもできる。このような場合、最上位ノードである「Ｍａｉｎ」は、著作情報（「ＣｏｐｙｒｉｇｈｔＮｏｔｉｃｅ」）、ユーザ情報（「ＵｓｅｒＤｅｓｃｒｉｐｔｉｏｎ」）、パッケージテーブル情報（「ＰａｃｋａｇｅＴａｂｌｅ」）、及び分類スキームテーブル情報（「ＣｌａｓｓｉｆｉｃａｔｉｏｎＳｃｈｅｍｅＴａｂｌｅ」）を下位要素として含むことができる。
【００３３】
著作情報は、メタデータの著作に関連した情報を記述するものであって、「ＣｏｐｙｒｉｇｈｔＮｏｔｉｃｅ」で表現されることができる。著作情報は、メタデータを著作した事業者情報を含み、これをユーザに見せることができる。事業者情報は、メタデータを製作した放送局または関連機関及び企業に関する情報を含むものであって、例えば、、ＫＢＳ、ＮＢＣ、ＣＮＮ、ＮＨＫのような放送局に関する情報がこれに該当し得る。
【００３４】
ユーザ情報は、デジタルマルチメディア放送コンテンツを消費するユーザに関する情報を記述するものであって、「ＵｓｅｒＤｅｓｃｒｉｐｔｉｏｎ」で表現されることができる。ユーザ情報は、ユーザの嗜好情報やユーザが端末で利用したヒストリー情報（視聴情報）を表現することにより、視聴者の嗜好度やヒストリーに合うオーダー型サービスが可能なようにする。ユーザ情報は、ユーザが自身の情報を提供することを望んでいない場合、端末内のみで使用し、流出しないように保護され得る。このような場合、ユーザ端末は、保護（ｐｒｏｔｅｃｔｅｄ）属性を含むことができる。ユーザ情報は、デジタルマルチメディア放送コンテンツに対するユーザの嗜好度を記述するユーザ嗜好度情報とユーザの使用履歴情報とを含むことができる。
【００３５】
ユーザ嗜好度情報は、デジタルマルチメディア放送コンテンツに対するユーザの嗜好度を記述する情報であって、「ＵｓｅｒＰｒｅｆｅｒｅｎｃｅ」で表現されることができる。ユーザ嗜好度は、個別ユーザのプログラムに対する嗜好度情報を有しており、他のユーザがユーザ端末に接続したときには見えないように保護され得る。プログラムに対するユーザの嗜好度情報を記録することにより、双方向サービス提供者が個別ユーザに嗜好の分野のプログラムを推薦したり、広告したりすることができる方法を提供することができる。
【００３６】
ユーザ嗜好度情報は、下位要素としてユーザに関する識別情報と嗜好度情報を含むことができる。識別情報は、「ＵｓｅｒＩｄｅｎｔｉｆｉｅｒ」で表現されることができ、嗜好度情報は、「ＦｉｌｔｅｒｉｎｇＡｎｄＳｅａｒｃｈＰｒｅｆｅｒｅｎｃｅ」で表現されることができる。識別情報は、個別ユーザの識別情報を提供し、嗜好度情報は、個別ユーザの嗜好度情報を提供することができる。
【００３７】
使用履歴情報は、ユーザの使用履歴に関する情報であって、「ＵｓａｇｅＨｉｓｔｏｒｙ」で表現されることができる。使用履歴情報は、個別ユーザがユーザ端末を使用して、どのプログラムをどれくらい視聴したかなどの情報を記録する。このような情報は、視聴情報収集サーバなどを介して、各放送社のプログラムに対する視聴率調査などに利用することができる。
【００３８】
使用履歴情報は、下位要素としてユーザに関する識別情報とデジタルマルチメディア放送コンテンツに関するユーザの行動履歴情報とを含むことができる。識別情報は、「ＵｓｅｒＩｄｅｎｔｉｆｉｅｒ」で表現されることができ、行動履歴情報は、「ＵｓｅｒＡｃｔｉｏｎＨｉｓｔｏｒｙ」で表現されることができる。識別情報は、個別ユーザの識別情報を提供し、行動履歴情報は、個別コンテンツに対する消費履歴を提供する。消費履歴には、コンテンツの再生を含み、検索または照会履歴に関する情報を含む。
【００３９】
パッケージテーブル情報は、デジタルマルチメディア放送コンテンツと関連したパッケージ（ｐａｃｋａｇｅ）を記述するものであって、「ＰａｃｋａｇｅＴａｂｌｅ」で表現されることができる。パッケージテーブル情報は、デジタルマルチメディア放送コンテンツと関連した様々なタイプのコンテンツアイテムを一緒に束ねて記述することができる。パッケージは、メインコンテンツの消費とともに消費され得るコンテンツ（ｃｏｎｔｅｎｔ）であって、ユーザがメインコンテンツとともに、より豊富なメディア経験が可能なようにする。パッケージは、アイテム（ｉｔｅｍ）、コンポーネント（ｃｏｍｐｏｎｅｎｔ）、または記述子（または記述情報：Ｄｅｓｃｒｉｐｔｏｒ）を含むものであって、メインコンテンツと独立的なまたは従属的なコンテンツでありうる。例えば、従属的な場合、パッケージは、メインコンテンツのシナリオに登場する場所に関する詳細情報またはメインコンテンツのシナリオに登場する小品に関する広告コンテンツがこれに該当し得る。
【００４０】
パッケージテーブル情報は、下位要素としてパッケージを特定するパッケージ情報を含むことができる。パッケージ情報は、デジタルマルチメディア放送アプリケーションフォーマットに格納されたコンテンツマップ（ｍａｐ）を提供するものであって、「Ｐａｃｋａｇｅ」で表現されることができる。パッケージ情報には、コンテンツ参照識別子ＣＲＩＤ（Ｃｏｎｔｅｎｔ  Ｒｅｆｅｒｅｎｃｅ  Ｉｄｅｎｔｉｆｉｅｒ）情報を含むことができる。
【００４１】
パッケージ情報は、下位要素としてパッケージに対して反復して参照される情報を定義する宣言情報、パッケージに対して記述する記述情報、及びパッケージに含まれたエレメントを定義するアイテム情報を含むことができる。
【００４２】
宣言情報は、「Ｄｅｃｌａｒａｔｉｏｎ」で表現され得るものであって、コンテンツマップで繰返し的に用いられる要素（コンテンツ自体、コンテンツセグメント、コンテンツに関する技術情報など）を一度のみ定義して再使用することにより、メタデータの製作及び解析の容易性を提供することができる。宣言情報には、アイテム、コンポーネント、または記述子に関する情報が含まれ得るし、これらに関する詳細は後述するので、ここでは省略する。
【００４３】
記述情報は、「Ｄｅｓｃｒｉｐｏｔｏｒ」で表現され得るものであって、デジタルマルチメディア放送アプリケーションフォーマットに含まれたコンテンツ集合に関する情報の集合を含む。例えば、大韓民国の「ムン・ダンヨルの初級会話、1講義」というコンテンツの集合のタイトル、製作者などの情報が提供され、ユーザは、この情報を介してデジタルマルチメディア放送アプリケーションフォーマットのコンテンツに対する消費の可否を１次的に決定することができる。当該講義は、オーディオ、ビデオ、関連した放送ウェブサイトＢＷＳ（Ｂｒｏｄａｃａｓｔｉｎｇ  Ｗｅｂ  Ｓｉｔｅ）の集合のように、様々なコンテンツの集合で構成されることができる。
【００４４】
アイテム情報は、「Ｉｔｅｍ」で表現され得るものであって、単一コンテンツフォーマット（ｓｉｎｇｌｅ  ｃｏｎｔｅｎｔ  ｆｏｒｍａｔ）の場合、選択することができるコンテンツのリストと個別コンテンツに関する詳細技術情報及びコンテンツに関する位置情報を含むことができる。多重コンテンツフォーマット（ｍｕｌｔｉｐｌｅ  ｃｏｎｔｅｎｔ  ｆｏｒｍａｔ）の場合、最下位の単一コンテンツフォーマットを選択する選択条件と単一コンテンツフォーマットに関する位置情報を含むことができる。エレメントは、アイテム、コンポーネント、または記述子を含むことができる。
【００４５】
アイテム情報は、下位要素としてエレメントに含まれたアイテムを選択するための条件情報、アイテムを記述するアイテム記述情報、アイテムに対する選択情報、参照情報、アイテム情報の下位アイテム情報、及びエレメントに含まれたコンポーネントを記述するコンポーネント情報を含むことができる。
【００４６】
条件情報は、「Ｃｏｎｄｉｔｉｏｎ」で表現され得るものであって、アイテムに対する意味ある条件に関する情報を含む。例えば、１章１節のコンテンツアイテムの場合、１章を選択したか否かによって１節の詳細情報を見せるか否かを決定することができる。また、ユーザが選択した視聴者観覧等級が１９歳以上であるか否かによって消費可能性を決定することができる。条件情報には、要求（ｒｅｑｕｉｒｅ）条件または排除（ｅｘｃｅｐｔ）条件に対する属性が含まれ得る。
【００４７】
アイテム記述情報は、「Ｉｔｅｍ」で表現され得るものであって、アイテムに対する詳細な説明情報を提供する。
【００４８】
選択情報は、「Ｃｈｏｉｃｅ」で表現され得るものであって、単一コンテンツフォーマットで使用されるときは、コンテンツの目録（例えば、ＡＶ、ＢＷＳ、ＴＰＥＧなど）を意味することができ、多重コンテンツフォーマットで使用されるときは、コンテンツ選択条件目録（例えば、大韓民国のドラマであるジュモン１回パッケージ、ジュモン２回パッケージなど）を意味することができる。選択情報は、その下位要素として「Ｃｏｎｄｉｔｉｏｎ」で表現される条件情報、「Ｄｅｓｃｒｉｐｔｏｒ」で表現される記述情報、及び「Ｓｅｌｅｃｔｉｏｎ」で表現されるセレクション情報を含むことができる。セレクション情報は、選択可能なコンテンツアイテムまたは選択可能な選択条件に対する項目を記述するものであって、条件情報によってこのような選択条件と関連したコンテンツ（アイテムまたはコンポーネント）を連結することができる。セレクション情報は、その下位要素として、「Ｃｏｎｄｉｔｉｏｎ」で表現される条件情報と「Ｄｅｓｃｒｉｐｔｏｒ」で表現される記述情報とを含むことができる。
【００４９】
参照情報は、「Ｒｅｆｅｒｅｎｃｅ」で表現され得るものであって、パッケージのエレメントの参照に関する情報を含む。
【００５０】
下位アイテム情報は、「Ｉｔｅｍ」で表現され得るものであって、前述したアイテム情報の内容と同一なので、ここでは、その説明を省略する。
【００５１】
コンポーネント情報は、「Ｃｏｍｐｏｎｅｎｔ」で表現され得るものであって、単一コンテンツフォーマットの場合、個別コンテンツの各々の詳細技術情報とコンテンツに関する位置情報とを含むことができ、多重コンテンツフォーマットの場合、最下位単一コンテンツフォーマットに関する位置情報を含むことができる。
【００５２】
コンポーネント情報は、下位要素としてコンポーネントを選択するためのコンポーネント条件情報、コンポーネントを記述するコンポーネント記述情報、参照情報、コンポーネントを構成する資源の種類と識別子を記述する資源情報、及びセグメントに対するセグメント情報テーブル情報を含むことができる。
【００５３】
コンポーネント条件情報は、「Ｃｏｍｐｏｎｅｎｔ」で表現されることができ、コンポーネントに対する意味ある条件情報を含む。
【００５４】
コンポーネント記述情報は、「Ｄｅｓｃｒｉｐｔｏｒ」で表現されることができ、コンポーネントに対する詳細説明情報を含む。
【００５５】
参照情報は、「Ｒｅｆｅｒｅｎｃｅ」で表現され得るものであって、パッケージのエレメントの参照に関する情報を含む。
【００５６】
資源情報は、「Ｒｅｓｏｕｒｃｅ」で表現され得るものであって、個別コンテンツの識別子情報を含むことができる。資源情報は、その下位要素としてコンテンツの種類を記述する資源タイプ情報を含むことができる。資源タイプ情報は、「ＲｅｓｏｕｒｅＴｙｐｅ」で表現されることができる。資源タイプ情報の下位要素としてコンテンツを識別する名前情報を含むことができる。名前情報は、「Ｎａｍｅ」で表現されることができる。
【００５７】
セグメント情報テーブル情報は、「ＳｅｇｍｅｎｔＩｎｆｏｒｍａｔｉｏｎＴａｂｌｅ」で表現され得るものであって、格納されたプログラムをセグメント別に接近して、再生または視聴可能な方法をユーザに提供する。セグメント情報テーブル情報に応じてセグメントブラウザサービスを提供することができる。
【００５８】
コンポーネント記述情報は、下位要素としてコンポーネント記述情報に関する条件情報、デジタルマルチメディア放送コンテンツを記述するオブジェクト（ｏｂｊｅｃｔ）記述情報、及び参照情報を含むことができる。条件情報は、「Ｃｏｎｄｉｔｉｏｎ」で表現されることができ、参照情報は、「Ｒｅｆｅｒｅｎｃｅ」で表現されることができ、オブジェクト記述情報は、「ＯｂｊｅｃｔＤｅｓｃｒｉｐｔｏｒ」で表現されることができる。これらの条件情報と参照情報とに対する詳細は前述したので、ここでは、その説明を省略する。
【００５９】
オブジェクト記述情報は、下位要素としてテキスト基盤記述情報とコンテンツ記述情報とを含むことができる。テキスト基盤記述情報は、「Ｄｅｓｃｒｉｐｔｉｏｎ」で表現されることができ、個別コンテンツに対してテキストに基づいた詳細情報を提供する。
【００６０】
コンテンツ記述情報は、「ＣｏｎｔｅｎｔＤｅｓｃｒｉｐｔｉｏｎ」で表現されることができ、個別コンテンツに対して定義されたデータ構造またはスキーマに基づいた詳細情報を提供する。コンテンツ記述情報は、下位要素として「Ｔｉｔｌｅ」で表現されるタイトル情報、「ＭｅｄｉａＴｉｔｌｅ」で表現されるメディアタイトル情報、「ＳｈｏｒｔＴｉｔｌｅ」で表現される簡略タイトル情報、「Ｓｙｎｏｐｓｉｓ」で表現されるシノプシス情報、「Ｇｅｎｒｅ」で表現されるジャンル情報、「Ｐａｒｅｎｔａｌｇｕｉｄａｎｃｅ」で表現される視聴等級情報、「Ｌａｎｇｕａｇｅ」で表現される使用言語情報、「ＣａｐｔｉｏｎＬａｎｇｕａｇｅ」で表現される字幕言語情報、「ＳｉｇｎＬａｎｇｕａｇｅ」で表現される手話情報、「ＣｒｅｄｉｔｓＬｉｓｔ」で表現されるクレジットリスト情報、「ＲｅｌａｔｅｄＭａｔｅｒｉａｌ」で表現される関連コンテンツ情報、「ＰｒｏｄｕｃｔｉｏｎＤａｔｅ」で表現される製作時間情報、「ＰｒｏｄｕｃｔｉｏｎＬｏｃａｔｉｏｎ」で表現される製作場所情報、「Ｄｕｒａｔｉｏｎ」で表現される視聴時間情報、「ＣｏｎｔｅｎｔＰｒｏｐｅｒｔｉｅｓ」で表現される追加コンテンツに対する特性情報、「ＳｏｕｒｃｅＬｏｃａｔｉｏｎ」で表現されるソース位置情報を含むことができる。
【００６１】
タイトル情報は、コンテンツの題目をユーザに見せることができる。メディアタイトル情報は、格納されたコンテンツに関する代表イメージとビデオ、オーディオに関する細部情報とをユーザに見せることができる。簡略タイトル情報は、コンテンツに関する簡略なタイトル情報をユーザに見せることができる。シノプシス情報は、コンテンツに関する概略的なあらすじをユーザに見せることができる。ジャンル情報は、コンテンツが属するジャンル（ドラマ、スポーツなど）に関する情報をユーザに見せることができる。視聴等級情報は、ユーザにコンテンツに関する視聴可能等級を知らせることにより、青少年が視聴可能なのか否かなどを知らせることができる。使用言語情報は、作成された言語に関する情報を知らせる。字幕言語情報は、プログラムに関する字幕がある場合、字幕に関する言語情報を知らせる。手話情報は、聴覚障害者達のために、いかなる手話種類を提供するかを知らせる。クレジットリスト情報は、コンテンツで登場する人物（主人公、監督など）に関する細部情報をユーザに知らせる。関連コンテンツ情報は、コンテンツと関連したさらに他のコンテンツに関する情報をユーザに知らせる。製作時間及び場所情報は、コンテンツが製作された日付、時間に関する情報とコンテンツが作られた国家に対してユーザに知らせる。視聴時間情報は、プログラムの概略的な全体視聴時間をユーザに知らせる。追加コンテンツに関する特性情報は、メインコンテンツ以外の追加的なコンテンツに関する特性をユーザに知らせる。ソース位置情報は、本コンテンツのソース位置情報を表現する。単方向である場合には、放送チャネルと放送時間などを知らせ、双方向である場合には、サーバＵＲＬ（Ｕｎｉｆｏｒｍ  Ｒｅｓｏｕｒｃｅ  Ｌｏｃａｔｏｒ）などを知らせる。
【００６２】
特性情報は、下位要素として追加コンテンツのタイプを記述するコンテンツタイプ情報、ファイル特性情報、コンテンツ属性情報、及び内容属性情報を含むことができる。
【００６３】
コンテンツタイプ情報は、「ＣｏｎｔｅｎｔＴｙｐｅ」で表現されることができ、コンテンツの種類を知らせる。ファイル特性情報は、「ＦｉｌｅＰｒｏｐｅｒｔｉｅｓ」で表現されることができ、ファイルコンテンツの特徴を記述する。コンテンツ属性情報は、「ＣｏｎｔｅｎｔＡｔｔｒｉｂｕｔｅｓ」で表現されることができ、フォーマット別コンテンツの特徴を記述する。内容属性情報は、「ＣｏｎｔｅｘｔＡｔｔｒｉｂｕｔｅｓ」で表現されることができ、内容別コンテンツの特徴を記述する。
【００６４】
コンテンツ属性情報の下位要素としてオーディオ属性情報、ビデオ属性情報、及びスチールイメージ属性情報を含むことができる。オーディオ属性情報は、「ＡｕｄｉｏＡｔｔｒｉｂｕｔｅｓＴｙｐｅ」で表現されることができ、オーディオコンテンツの特徴を記述する。ここで、コーディング（ｃｏｄｉｎｇ）とチャネル数（ＮｕｍＯｆＣｈａｎｎｅｌｓ）などを記述することができる。ビデオ属性情報は、「ＶｉｄｅｏＡｔｔｒｉｂｕｔｅｓＴｙｐｅ」で表現されることができ、ビデオコンテンツの特徴を記述する。ここで、水平サイズ（ｈｏｒｉｚｏｎｔａｌ  ｓｉｚｅ）、垂直サイズ（ｖｅｒｔｉｃａｌ  ｓｉｚｅ）、色（ｃｏｌｏｒ）などを記述することができる。スチールイメージ属性情報は、「ＳｔｉｌｌＩｍａｇｅＣｏｎｔｅｎｔＡｔｔｒｉｂｕｔｅｓＴｙｐｅ」で表現されることができ、停止画像コンテンツの特徴を記述することができる。ここでは、幅（ｗｉｄｔｈ）、高さ（ｈｅｉｇｈｔ）、オリエンテーション（ｏｒｉｅｎｔａｔｉｏｎ）などを記述することができる。
【００６５】
内容属性情報の下位要素としてデータ放送属性情報、広告属性情報、教育属性情報、アプリケーションプログラム属性情報、及びゲーム属性情報を含むことができる。データ放送属性情報は、「ＤａｔａＢｒｏａｄｃａｓｔｉｎｇＣｏｎｔｅｘｔＡｔｔｒｉｂｕｔｅｓＴｐｅ」で表現されることができ、データ放送コンテンツの特徴を記述することができる。ここでは、インターアクティブコンテンツサービス（ｉｎｔｅｒａｃｔｉｖｅ  ｃｏｎｔｅｎｔ  ｓｅｒｖｉｃｅ）、レンダリングスタイル（ｒｅｎｄｅｒｉｎｇ  ｓｔｙｌｅ）、アップデート周期（ｕｐｄａｔｅ  ｃｙｃｌｅ）などを記述することができる。広告属性情報は、「ＩｎｔｅｒｓｔｉｔｉａｌＣｏｎｔｅｘｔＡｔｔｒｉｂｕｔｅｓＴｐｅ」で表現されることができ、広告コンテンツの特徴を記述することができる。ここでは、ブランドネーム（ｂｒａｎｄ  ｎａｍｅ）などを記述することができる。教育属性情報は、「ＥｄｕｃａｔｉｏｎＣｏｎｔｅｘｔＡｔｔｒｉｂｕｔｅｓＴｐｅ」で表現されることができ、教育用コンテンツの特徴を記述することができる。ここでは、意図されたユーザ（ｉｎｔｅｎｄｅｄ  ｕｓｅｒ）、教育タイプ（ｅｄｕｃａｔｉｏｎａｌ  ｔｙｐｅ）などを記述することができる。アプリケーションプログラム属性情報は、「ＡｐｐｌｉｃａｔｉｏｎＣｏｎｔｅｘｔＡｔｔｒｉｂｕｔｅｓＴｐｅ」で表現されることができ、アプリケーションコンテンツの特徴を記述することができる。フリーウェア（ｆｒｅｅｗａｒｅ）であるか否かと削除プログラム（ｕｎｉｎｓｔａｌｌ）の存在の有無などに対して記述することができる。ゲーム属性情報は、「ＧａｍｅＣｏｎｔｅｘｔＡｔｔｒｉｂｕｔｅｓＴｐｅ」で表現されることができ、ゲームコンテンツの特徴に対して記述することができる。ここでは、最大ユーザ数（ＭａｘＮｕｍＰｌａｙｅｒｓ）などを記述することができる。
【００６６】
コンテンツタイプ情報は、スライドショー（ｓｌｉｄｅ  ｓｈｏｗ）、放送ウェブサイトＢＷＳ、交通旅行情報ＴＴＩ（Ｔｒａｆｆｉｃ  ａｎｄ  Ｔｒａｖｅｌ  Ｉｎｆｏｒｍａｔｉｏｎ）、双方向データ放送ＢＩＦＳ（Ｂｉｎａｒｙ  Ｆｏｒｍａｔ  ｆｏｒ  Ｓｃｅｎｅｓ）、ジャバミドレット及びタイムドテキスト（ｔｉｍｅｄ  ｔｅｘｔ）を含む分類スキームによってコンテンツを分類することができる。交通旅行情報は、関心位置情報ＰＯＩ（Ｐｏｉｎｔ  Ｏｆ  Ｉｎｔｅｒｅｓｔ）と大衆交通情報ＰＴＩ（Ｐｕｂｌｉｃ  Ｔｒａｎｓｐｏｒｔ  Ｉｎｆｏｒｍａｔｉｏｎ）の細部分類スキームを含むことができる。
【００６７】
従来のコンテンツタイプを分類するスキームは、ビデオ、オーディオなどのように単純であった。そのため、ユーザに様々なコンテンツを適合するように提供するためには、従来の分類スキームでは限界がある。本発明によれば、様々な形態のコンテンツタイプに関する情報を提供することができる。
【００６８】
前述したコンテンツタイプ情報の分類スキームに関する例を表１に示す。
【００６９】
[表１]
- <Term termID="1">
<Name xml:lang="en">Audio</Name> 
</Term>
- <Term termID="2">
<Name xml:lang="en">Video</Name> 
</Term>
- <Term termID="3">
<Name xml:lang="en">StillImage</Name> 
</Term>
- <Term termID="4">
<Name xml:lang="en">Text</Name> 
</Term>
- <Term termID="5">
<Name xml:lang="en">DataBroadcasting</Name> 
</Term>
- <Term termID="6">
<Name xml:lang="en">Interstitial</Name> 
</Term>
- <Term termID="7">
<Name xml:lang="en">Education</Name> 
</Term>
- <Term termID="8">
<Name xml:lang="en">Application</Name> 
</Term>
- <Term termID="9">
<Name xml:lang="en">Game</Name> 
</Term>
- <Term termID="10">
<Name xml:lang="en">Package</Name> 
</Term>
- <!--  newly included CS for MAF for DMB 
--> 
- <Term termID="11">
<Name xml:lang="en">SlideShow</Name> 
<Definition xml:lang="en">The service providing figure, photograph or a text, and etc. in the form of the successive images</Definition> 
- <Term termID="11.1">
<Name xml:lang="en">DLS Only</Name> 
</Term>
- <Term termID="11.2">
<Name xml:lang="en">JSS Only</Name> 
</Term>
- <Term termID="11.3">
<Name xml:lang="en">SLS</Name> 
</Term>
</Term>
- <Term termID="12">
<Name xml:lang="en">ＢＷＳ</Name> 
<Definition xml:lang="en">The broadcast service in which the return channel provides the web service since a terminal receives in advance and it saves all files relating to a website</Definition> 
</Term>
- <Term termID="13">
<Name xml:lang="en">ＴＴＩ</Name> 
<Definition xml:lang="en">The traffic information and advanced traveler information service</Definition> 
- <Term termID="13.1">
<Name xml:lang="en">POI</Name> 
</Term>
- <Term termID="13.2">
<Name xml:lang="en">PTI</Name> 
</Term>
</Term>
- <Term termID="14">
<Name xml:lang="en">ＢＩＦＳ</Name> 
<Definition xml:lang="en">By using ＢＩＦＳ defining an interaction between object which are various with an image, a text, and etc., it services with the addtional information providing of AV</Definition> 
</Term>
- <Term termID="15">
<Name xml:lang="en">Java Midlet</Name> 
<Definition xml:lang="en">The application service which is executable in the round wave DMB environment</Definition> 
</Term>
- <Term termID="16">
<Name xml:lang="en">Timed Text</Name> 
<Definition xml:lang="en">The index grade marking service for a karaoke and studying language</Definition> 
</Term>
</ClassificationScheme>
【００７０】
ソース位置情報は、放送イベント情報、双方向サービス情報、コンテンツ参照情報、及びコンテンツ参照情報に該当するコンテンツの位置情報を含むことができる。
【００７１】
放送イベント情報は、「ＢｒｏａｄｃａｓｔｉｎｇＥｖｅｎｔ」で表現されることができ、コンテンツを獲得したソース放送チャネル、時間情報などを提供する。現在、放送されるスケジュールにあるプログラムに関する放送社情報、実際プログラムに関する購買情報、クーポン、ＡＶ（Ａｕｄｉｏ・Ｖｉｄｅｏ）に関する特性などの情報を提供し、ユーザが獲得したプログラムに関する購買情報（価格、クーポン使用など）に関連した情報を確認することができる。
【００７２】
双方向サービス情報は、「ＯｎＤｅｍａｎｄＰｒｏｇｒａｍ」で表現されることができ、コンテンツを獲得した双方向サービス情報を提供する。
【００７３】
コンテンツ参照情報は、「ＣｏｎｔｅｎｔＩｄＲｅｆ」で表現されることができ、当該コンテンツのソース位置情報を直接記述しなくとも、他のコンテンツのソース位置情報を参照させるときに使用することができる。
【００７４】
コンテンツの位置情報は、「ｉｍｉ」で表現されることができ、コンテンツ参照情報に該当するコンテンツの位置を特定する。
【００７５】
放送イベント情報は、プログラム情報、インスタンス記述情報、放送開始情報、及び放送時間情報を含むことができる。プログラム情報は、「Ｐｒｏｇｒａｍ」で表現されることができ、コンテンツ参照識別子情報を含むことができる。インスタンス記述情報は、「ＩｎｓｔａｎｃｅＤｅｓｃｒｉｐｔｏｒ」で表現されることができ、コンテンツのインスタンスに対して記述する。放送開始情報は、「ＰｕｂｌｉｓｈｅｄＳｔａｒｔＴｉｍｅ」で表現されることができ、プログラムがいつから放送が始まったかに関する情報をユーザに知らせることができる。放送時間情報は、「ＰｉｂｌｉｓｈｅｄＤｕｒａｔｉｏｎ」で表現されることができ、プログラムが放送された全体時間に関する情報をユーザに知らせることができる。
【００７６】
インスタンス記述情報は、下位要素として購買リスト情報を含むことができる。購買リスト情報は、「ＰｕｒｃｈａｓｅＬｉｓｔ」で表現されることができ、購買コンテンツに関するリストを提供することにより、各購買コンテンツに関する価格及びクーポン情報などをユーザに見せることができる。購買リスト情報は、下位要素として購買アイテム情報を含むことができる。購買アイテム情報は、「ＰｕｒｃｈａｓｅＩｔｅｍ」で表現されることができ、購買リスト情報の購買アイテムを記述する。購買アイテム情報は、下位要素として購買価格情報、購買サーバ住所情報、必要クーポン情報、及び獲得クーポン情報を含むことができる。購買価格情報は、「Ｐｒｉｃｅ」で表現されることができ、コンテンツの購買価格を記述する。購買住所サーバ情報は、「ＰｒｉｃｉｎｇＳｅｒｖｅｒＵＲＬ」で表現されることができ、コンテンツの購買が可能なサーバのＵＲＬ住所を記述する。必要クーポン情報は、「ＲｅｑｕｉｒｅｄＣｏｕｐｏｎ」で表現されることができ、コンテンツの獲得のために必要なクーポンに関する情報を記述する。獲得クーポン情報は、「ＲｅｗａｒｄＣｏｕｐｏｎ」で表現されることができ、コンテンツの獲得による補償として提供されるクーポンに関する情報を記述する。
【００７７】
双方向サービス情報は、プログラム情報、インスタンス記述情報、獲得可能時期情報、及び獲得終了時期情報を含むことができる。プログラム情報は、「Ｐｒｏｇｒａｍ」で表現されることができ、コンテンツ参照識別子情報を含むことができる。インスタンス記述情報は、「ＩｎｓｔａｎｃｅＤｅｓｃｒｉｐｔｏｒ」で表現されることができ、コンテンツのインスタンスに対して記述する。これに関する詳細は前述したので、ここでは、省略する。獲得可能時期情報は、「ＳｔａｒｔＯｆＡｖａｉｌａｂｉｌｉｔｙ」で表現されることができ、所望のプログラムがいつ獲得可能であったか、または可能であるかに対する時点をユーザに知らせる。獲得終了時期情報は、「ＥｎｄＯｆＡｖａｉｌａｂｉｌｉｔｙ」で表現されることができ、所望のプログラムをいつまで獲得できたのか、または獲得できるかに対する使用可能時点をユーザに見せることができる。
【００７８】
セグメント情報テーブル情報は、関連性のあるセグメントの集合であるセグメントグループを記述するセグメントグループリスト情報とセグメントのリストを記述するセグメントリスト情報とを含むことができる。セグメントリスト情報は、「ＳｅｇｍｅｎｔＬｉｓｔ」で表現されることができ、ユーザにプログラムで接近可能なセグメント目録を見せることができる。セグメントグループリスト情報は、「ＳｅｇｍｅｎｔＧｒｏｕｐＬｉｓｔ」で表現されることができ、関連性のあるセグメントを集めて、これをグループ化して所望の分野のみを視聴できるようにする。例えば、ニュースにおいて、事件、国際ニュース、天気などのように、互いに関連したセグメントを集めて、これをグループ化してユーザに提供することにより、ユーザは、所望の分野のみを視聴することができる。
【００７９】
セグメントリスト情報は、下位要素としてセグメントに対して記述するセグメント情報を含むことができる。セグメント情報は、「ＳｅｇｍｅｎｔＩｎｆｏｒｍａｔｉｏｎ」で表現されることができ、個別的なセグメントがどの情報を有しているかをユーザに知らせる。
【００８０】
セグメント情報は、下位要素としてセグメントが属したプログラム情報、セグメントに関する時間情報、セグメントに関する内容記述情報、セグメントの位置を記述するセグメント位置情報、及びセグメントの代表イメージ情報を含むことができる。プログラム情報は、「ＰｒｏｇｒａｍＲｅｆ」で表現されることができ、現在のセグメントが属しているプログラムの識別子（ＣＲＩＤ）を知らせる。時間情報は、「ＴｉｍｅＢａｓｅＲｅｆｅｒｅｎｃｅ」で表現されることができ、セグメントが属しているセグメントグループ内の表示された差分時間値を知らせることにより、セグメントをランダムにアクセスできるための情報を知らせる。内容記述情報は、「Ｄｅｓｃｒｉｐｔｉｏｎ」で表現されることができ、現在、セグメントがどの内容を有しているセグメントであるかをユーザに知らせることができる。セグメント位置情報は、「ＳｅｇｍｅｎｔＬｏｃａｔｏｒ」で表現されることができ、現在のセグメントが全体プログラム内において開始時点がいつであり、どのくらい再生されるかに関する情報であって、ユーザーが所望するセグメントを再生して視聴できるようにする。代表イメージ情報は、「ＫｅｙＦｒａｍｅＬｏｃａｔｏｒ」で表現されることができ、個別セグメントに関する代表イメージ情報であって、ユーザがセグメントを選択したとき、代表イメージを見せることにより、視覚的に選択できるようにする。
【００８１】
内容記述情報は、下位要素としてタイトル情報、シノプシス情報、ジャンル情報、関連コンテンツ情報、クレジットリスト情報、及びセグメントの消費による補償クーポン情報を含むことができる。タイトル情報は、「Ｔｉｔｌｅ」で表現されることができ、コンテンツの題目をユーザに見せることができる。シノプシス情報は、「Ｓｙｎｏｐｓｉｓ」で表現されることができ、コンテンツに関する概略的なあらすじをユーザに見せることができる。ジャンル情報は、「Ｇｅｎｒｅ」で表現されることができ、コンテンツが属したジャンル（ドラマ、スポーツなど）に関する情報をユーザに見せることができる。関連コンテンツ情報は、「ＲｅｌａｔｅｄＭａｔｅｒｉａｌ」で表現されることができ、コンテンツと関連したさらに他のコンテンツに関する情報をユーザに知らせる。クレジットリスト情報は、「ＣｒｅｄｉｔｓＬｉｓｔ」で表現されることができ、コンテンツで登場する人物（主人公、監督など）に関する細部情報をユーザに知らせる。補償クーポン情報は、「ＲｅｗａｒｄＣｏｕｐｏｎ」で表現されることができ、セグメント消費に対する補償次元で提供するクーポンに関する情報をユーザに知らせる。例えば、広告消費によって１個のクーポンを獲得する場合である。
【００８２】
補償クーポン情報は、下位要素としてクーポンに対して記述するクーポン記述情報を含むことができる。クーポン記述情報は、「ＣｏｕｐｏｎＤｅｓｃｒｉｐｔｉｏｎ」で表現されることができ、クーポンに関する情報を記述する。
【００８３】
クーポン記述情報は、下位要素として必要クーポンに対して記述する要求クーポン情報、クーポンの価値を定義するクーポン価値情報、クーポンが適用されるコンテンツを記述するコンテンツターゲット情報、及びクーポンに関する説明を記述するクーポンテキスト情報を含むことができる。要求クーポン情報は、「ＲｅｑｕｉｒｅｄＣｏｕｐｏｎ」で表現されることができ、該当クーポンが有効になる前に、必ず保有しなければならないクーポンを明示する。要求されるクーポンが複数個である場合、該当する全てのクーポンが獲得されなければならない。該当要素を使用するということは、少なくとも２個のクーポンが要求されることを意味する。クーポン価値情報は、「ＣｏｕｐｏｎＶａｌｕｅ」で表現されることができ、割引額、割引率、割引が適用されたコンテンツ価格などで表現されるクーポンの価値を定義する。コンテンツターゲット情報は、「ＣｏｎｔｅｎｔＴａｒｇｅｔ」で表現されることができ、クーポンが適用されるコンテンツを指定する。クーポンテキスト情報は、「ＣｏｕｐｏｎＴｅｘｔ」で表現されることができ、クーポンに関する説明を記述する。
【００８４】
クーポン価値情報は、クーポン価値情報の下位要素としてクーポンによる割引価値を記述する割引情報を含む。割引情報は、「ＲｅｄｕｃｔｉｏｎＡｍｏｕｎｔ」で表現されることができ、該当クーポンが適用されることにより、購買アイテム情報で提示された価格から割引される金額に対して記述する。コンテンツターゲット情報の下位要素としてクーポンが適用されるコンテンツのコンテンツ参照識別情報を含むことができる。コンテンツ識別参照情報は、「Ｐｒｏｇｒａｍ」で表現されることができ、クーポンが適用されるコンテンツに対して記述する。
【００８５】
セグメントグループリスト情報は、セグメントグループに対して記述するセグメントグループ情報を含むことができる。セグメントグループ情報は、「ＳｅｇｍｅｎｔＧｒｏｕｐＩｎｆｏｒｍａｔｉｏｎ」で表現されることができ、関連性のあるセグメントを集めたグループをユーザに見せることができる。
【００８６】
セグメントグループ情報は、セグメントグループが属したプログラム情報、セグメントグループに関する時間情報、セグメントグループの関連性を記述するグループタイプ情報、セグメントグループに関する内容記述情報、セグメントグループに含まれたセグメントのリスト情報、セグメントグループに関する下位セグメントグループを記述する下位グループ情報、及びセグメントグループの代表イメージ情報を含むことができる。プログラム情報は、「ＰｒｏｇｒａｎＲｅｆ」で表現されることができ、セグメントグループに関する識別子情報を含むことができる。時間情報は、「ＴｉｍｅＢａｓｅＲｅｆｅｒｅｎｃｅ」で表現されることができ、該当区間グループに所属された区間に適用する時間軸に対して記述する。グループタイプ情報は、「ＧｒｏｕｐＴｙｐｅ」で表現されることができ、セグメントグループがいかなる関連性を有しているかを知らせる。例えば、ハイライト、ブックマーク、ＴｏＣなどを知らせて、視聴者が所望する部分のみを気楽に視聴できるようにする。内容記述情報は、「Ｄｅｓｃｒｉｐｔｉｏｎ」で表現されることができ、セグメントグループがいかなる内容を有しているかに関する情報としてユーザがセグメントグループを選択すると、概略的な情報を見ることができるようにする。リスト情報は、「Ｓｅｇｍｅｎｔｓ」で表現されることができ、視聴者が現在グループのセグメントを選択するために、セグメントリストを見て選択できるようにする。下位グループ情報は、「Ｇｒｏｕｐｓ」で表現されることができ、現在のセグメントグループにさらに他のサブグループがあるとき、さらに他のグループを選択できるようにユーザに見せることができる。代表イメージ情報は、「ＫｅｙＦｒａｍｅＬｏｃａｔｏｒ」で表現されることができ、セグメントグループに関する代表イメージを見せることにより、ユーザがグループを選択したとき、どの分野のセグメントを集めておいたのかを容易に分かるようにする。
【００８７】
図１のように、メタデータが階層的な構造を有する場合には、下位要素は、上位要素に含まれる関係として理解され得る。本実施形態では、以上で説明したメタデータが図１に示すように階層的構造を有しているが、これに限定するものではない。
【００８８】
＜第２の実施形態：デジタルマルチメディア放送アプリケーションフォーマットの生成装置＞
本発明の他の実施形態に係るデジタルマルチメディア放送アプリケーションフォーマットの生成装置は、デジタルマルチメディア放送コンテンツに関するメタデータを生成するメタデータ生成部及びメタデータとコンテンツとを結合する結合部を含み、メタデータは、メタデータに関する著作情報、コンテンツを消費するユーザに関するユーザ情報、及びコンテンツと関連したアイテムを記述するパッケージテーブル情報を含む。
【００８９】
デジタルマルチメディア放送アプリケーションフォーマットの生成装置には、サーバ（ｓｅｒｖｅｒ）、サービス提供者（ｓｅｒｖｉｃｅ  ｐｒｏｖｉｄｅｒ）サーバ、またはユーザ端末が備えられる。
【００９０】
本実施形態と関連した詳細な説明は、前述した第１の実施形態で説明されたので、ここでは、省略する。
【００９１】
＜第３の実施形態：デジタルマルチメディア放送アプリケーションフォーマットの消費方法＞
本発明のさらに他の実施形態に係るデジタルマルチメディア放送アプリケーションフォーマットの消費方法は、デジタルマルチメディア放送コンテンツと、デジタルマルチメディア放送コンテンツに関するメタデータとを含むデジタルマルチメディア放送アプリケーションフォーマットを受信するステップ及びデジタルマルチメディア放送アプリケーションフォーマットを利用してデジタルマルチメディア放送コンテンツを消費するステップを含み、メタデータは、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００９２】
コンテンツを消費するユーザ端末において、デジタルマルチメディア放送アプリケーションフォーマットを消費する方法がその例である。消費は、コンテンツを使用するものに限定せず、デジタルマルチメディア放送アプリケーションを配布または修正することなども含む。
【００９３】
デジタルマルチメディア放送コンテンツと、デジタルマルチメディア放送コンテンツに関するメタデータとを含むデジタルマルチメディア放送アプリケーションフォーマットを受信すると、受信されたデジタルマルチメディア放送アプリケーションフォーマットを利用してデジタルマルチメディア放送コンテンツを消費する。ここで、デジタルマルチメディア放送アプリケーションフォーマットが１つのファイルの形態で受信される場合には、デジタルマルチメディア放送コンテンツと、デジタルマルチメディア放送コンテンツに関するメタデータとを分離する過程が含まれ得る。このような場合、消費する主体は、デジタルマルチメディア放送コンテンツに関するメタデータの情報を利用してデジタルマルチメディア放送コンテンツを消費する。
【００９４】
メタデータに対しては、前述した第１の実施形態で詳細に説明したので、詳細な説明を省略する。
【００９５】
＜第４の実施形態：デジタルマルチメディア放送アプリケーションフォーマットの消費装置＞
本発明のさらに他の実施形態に係るデジタルマルチメディア放送アプリケーションフォーマットの消費装置は、デジタルマルチメディア放送コンテンツと、デジタルマルチメディア放送コンテンツに関するメタデータとを含むデジタルマルチメディア放送アプリケーションフォーマットを受信する受信部及びデジタルマルチメディア放送アプリケーションフォーマットを利用してデジタルマルチメディア放送コンテンツを消費する消費部を備え、メタデータは、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００９６】
デジタルマルチメディア放送アプリケーションフォーマットの消費装置には、サーバ（ｓｅｒｖｅｒ）、サービス提供者（ｓｅｒｖｉｃｅ  ｐｒｏｖｉｄｅｒ）サーバ、またはユーザ端末が備えられる。消費は、コンテンツを使用するものに限定せず、デジタルマルチメディア放送アプリケーションを配布または修正することなども含む。
【００９７】
本実施形態と関連した詳細な説明は、前述した第１の実施形態及び第３の実施形態で説明されたので、ここでは、省略する。
【００９８】
＜第５の実施形態：コンピュータ読み取り可能な記録媒体＞
本発明のさらに他の実施形態に係るコンピュータ読み取り可能な記録媒体は、デジタルマルチメディア放送コンテンツに関するメタデータが記録されたコンピュータ読み取り可能な記録媒体であって、メタデータは、メタデータに関する著作情報、デジタルマルチメディア放送コンテンツを消費するユーザに関するユーザ情報、及びデジタルマルチメディア放送コンテンツと関連したアイテムを記述するパッケージテーブル情報を含む。
【００９９】
前述した第１の実施形態で説明したメタデータは、コンピュータ読み取り可能な記録媒体として流通または格納されることができる。メタデータに対しては、前述した第１の実施形態で詳細に説明したので、ここでは、省略する。
【０１００】
上述したような本発明の方法は、プログラムで実現されてコンピュータ読み取り可能な形で記録媒体（ＣＤ−ＲＯＭ、ＲＡＭ、ＲＯＭ、フロッピーディスク、ハードディスク、光磁気ディスクなど）に格納されることができる。このような過程は、本発明の属する技術分野における通常の知識を有した者が容易に実施できるので、それ以上詳細に説明しない。
【０１０１】
以上で説明した本発明は、本発明の属する技術分野における通常の知識を有した者にとって、本発明の技術的思想を逸脱しない範囲内で様々な置換、変形及び変更が可能であるため、前述の実施形態及び添付した図面によって限定されるものではない。
【産業上利用可能性】
【０１０２】
本発明は、デジタルマルチメディア放送のコンテンツを提供し、消費するのに利用される。
【図１】
2010525631.tif 000003
【国際調査報告】
2010525631.tif 000004
2010525631.tif 000005